(57)【要約】【課題】巾木と床材や壁材との間に水や埃等が入り込むことを抑制できる巾木を提供することを目的とする。【解決手段】無機系材料で形成された巾木本体２と、軟質片３とを備え、巾木本体２は、長尺の底壁部１０と、底壁部１０の一方の端部から立ち上がり、底壁部１０の長さ方向に延在するように設けられた長尺の側壁部１２とを備え、軟質片３は、底壁部１０の底面１０ｃよりも下方に突き出し、底壁部１０の長さ方向に延在するように底壁部１０に設けられている、巾木１。【選択図】図２
2017025471.tif 000002
【特許請求の範囲】
【請求項１】
無機系材料で形成された巾木本体と、軟質片とを備え、
前記巾木本体は、長尺の底壁部と、前記底壁部の一方の端部から立ち上がり、前記底壁部の長さ方向に延在するように設けられた長尺の側壁部とを備え、
前記軟質片は、前記底壁部の底面よりも下方に突き出し、前記底壁部の長さ方向に延在するように前記底壁部に設けられている、巾木。
【請求項２】
前記底壁部の上面と前記側壁部における前記上面が位置する側の表面とで形成される隅部の形状が、前記巾木本体を長さ方向に垂直な方向に切断した断面において円弧状になっている、請求項１に記載の巾木。
【請求項３】
前記軟質片が、前記底壁部に嵌合により固定される接続部材と一体に形成され、該接続部材を介して前記底壁部に設けられている、請求項１又は２に記載の巾木。
【請求項４】
前記軟質片が、前記底壁部に接着されているか、又は前記底壁部に溶融接合されている、請求項１又は２に記載の巾木。
【発明の詳細な説明】
【技術分野】
【０００１】
本発明は、巾木に関する。
【背景技術】
【０００２】
住宅等の建築物においては、一般に、床材と壁材との境界に形成される隅部に、壁材下部の保護、意匠性の向上等を目的として木製や樹脂製の巾木が設けられる（例えば、特許文献１〜５）。しかし、該隅部に巾木を設けた場合には、巾木の下端における壁材と遠い側の床材との隙間から、巾木と床材や壁材との間に水が浸入してカビが発生したり、埃や害虫が入り込んだりすることがある。特に食品工場や、クリーンルーム等では優れた衛生性が求められることから、巾木と床材や壁材との間に水や埃が入り込むことを充分に抑制できることが重要である。
【０００３】
巾木と床材や壁材との間に水や埃等が入り込むことを抑制する方法としては、例えば、巾木の下端における壁材と遠い側と床材との隙間をシーリング材で埋める方法が挙げられる。しかし、該方法では、継時的な劣化によってシーリング材に亀裂が生じ、該亀裂から水や埃等が入り込む問題がある。
【先行技術文献】
【特許文献】
【０００４】
【特許文献１】特開平９−２０９５５９号公報
【特許文献２】特開平９−２７９６７７号公報
【特許文献３】特開平９−３０２９０８号公報
【特許文献４】特開２００６−１７７０３５号公報
【特許文献５】特開２０１４−１０５５２６号公報
【発明の概要】
【発明が解決しようとする課題】
【０００５】
本発明は、巾木と床材や壁材との間に水や埃等が入り込むことを抑制できる巾木を提供することを目的とする。
【課題を解決するための手段】
【０００６】
本発明は、以下の構成を有する。
［１］無機系材料で形成された巾木本体と、軟質片とを備え、前記巾木本体は、長尺の底壁部と、前記底壁部の一方の端部から立ち上がり、前記底壁部の長さ方向に延在するように設けられた長尺の側壁部とを備え、前記軟質片は、前記底壁部の底面よりも下方に突き出し、前記底壁部の長さ方向に延在するように前記底壁部に設けられている、巾木。
［２］前記底壁部の上面と前記側壁部における前記上面が位置する側の表面とで形成される隅部の形状が、前記巾木本体を長さ方向に垂直な方向に切断した断面において円弧状になっている、［１］に記載の巾木。
［３］前記軟質片が、前記底壁部に嵌合により固定される接続部材と一体に形成され、該接続部材を介して前記底壁部に設けられている、［１］又は［２］に記載の巾木。
［４］前記軟質片が、前記底壁部に接着されているか、又は前記底壁部に溶融接合されている、［１］又は［２］に記載の巾木。
【発明の効果】
【０００７】
本発明の巾木は、巾木と床材や壁材との間に水や埃等が入り込むことを抑制することができる。
【図面の簡単な説明】
【０００８】
【図１】本発明の巾木の一例を示した斜視図である。
【図２】図１の巾木のＡ−Ａ断面図である。
【図３】図１の巾木を床材と壁材で形成される隅部に取り付ける様子を示した断面図である。
【図４】本発明の他の例の巾木を床と壁で形成される隅部に取り付ける様子を示した断面図である。
【図５】本発明の巾木の他の例を示した断面図である。
【図６】本発明の巾木の他の例を示した断面図である。
【発明を実施するための形態】
【０００９】
以下、本発明の巾木の一例を示して説明する。
本実施形態の巾木１は、図１及び図２に示すように、巾木本体２と、軟質片３と、接続部材４と、を備えている。
【００１０】
巾木本体２は、長尺の平板状の底壁部１０と、底壁部１０の一端から垂直に立ち上がり、底壁部１０の長さ方向に延在するように設けられた長尺の平板状の側壁部１２と、を備えている。
この例の底壁部１０は、平面視形状が長方形状になっている。また、側壁部１２の正面視形状は長方形状になっている。巾木本体２を長さ方向に垂直な方向に切断した断面形状は、Ｌ字状になっている。
【００１１】
この例の巾木本体２においては、底壁部１０の上面１０ａと、側壁部１２における上面１０ａが位置する側の表面である内面１２ａとで形成される隅部１４は、巾木本体２を長さ方向に垂直な方向に切断したときの断面形状が円弧状になっている。すなわち、巾木本体２の隅部１４は曲面状になっている。本発明の巾木では、このように、底壁部の上面と側壁部における該上面が位置する側の表面とで形成される隅部の形状が、巾木本体を長さ方向に垂直な方向に切断した断面において円弧状になっていることが好ましい。
これにより、巾木本体上では隅部に落ちてきた埃が隅部に沿って底壁部の上面へと転がりやすくなるため、該埃を拭き取り等によって容易に除去することができる。このように、巾木本体上の隅部に埃が溜まって取りにくくなることを抑制できるため、優れた衛生性を維持しやすくなる。
【００１２】
巾木本体の長さ方向に垂直な方向に切断した断面における円弧状の隅部の曲率半径は、巾木の設置場所、埃等の除去性等を考慮して適宜設定することができ、例えば、１５ｍｍ〜５０ｍｍとすることができる。
【００１３】
底壁部１０における側壁部１２から遠い側の先端面１０ｂには、巾木本体２の長さ方向に延びる凹条１６が形成されている。また、底壁部１０の底面１０ｃにおける先端面１０ｂ寄りの位置には、巾木本体２の長さ方向に延びる凹条１８が形成されている。これにより、底壁部１０の先端部分における凹条１６と凹条１８の間の部分に嵌合突起２０が形成されている。底壁部１０に形成された嵌合突起２０には、接続部材４が嵌合するようになっている。
【００１４】
また、この例の巾木本体２においては、底壁部１０と側壁部１２との接続部分である角部２２に、巾木本体２の長さ方向に延びるように貫通孔２４が形成されている。これにより、重量軽減の効果が得られ、またジョイント部材を用いて巾木本体を長さ方向に連結する際に利用することもできる。なお、本発明では、巾木本体における底壁部と側壁部で形成される角部に貫通孔が形成されていなくてもよい。
また、この例の巾木本体２においては、底壁部１０と側壁部１２で形成される角部２２の外側は、底壁部１０の底面１０ｃ及び側壁部１２の外面１２ｂのそれぞれに対して傾斜する傾斜面２５が形成されるように隅切りされている。
【００１５】
底壁部１０の幅及び厚みは、強度や巾木１を設置する場所を考慮して適宜設定することができる。また、側壁部１２の高さ及び厚みも、強度や巾木１を設置する場所を考慮して適宜設定することができる。
巾木本体２の長さは、取り扱い性、施工の容易性等を考慮して適宜設定することができる。
【００１６】
本発明では、巾木本体は無機系材料で形成される。
無機系材料としては、不燃性に優れた材料が好ましく、例えば、主成分として、セメント、ケイ酸質紛体、骨材及び繊維を含む材料（以下、材料Ａということがある。）が挙げられる。なお、セメント、ケイ酸質紛体、骨材及び繊維を主成分とするとは、材料Ａの総質量に対するセメント、ケイ酸質紛体、骨材及び繊維の合計質量の割合が９５質量％以上であることを意味する。
【００１７】
セメントとしては、例えば、各種ポルトランドセメント（普通ポルトランドセメント、早強ポルトランドセメント、中庸熱ポルトランドセメント、低熱ポルトランドセメント、耐硫酸塩ポルトランドセメント等）、ビーライト高含有セメント、アルミナセメント、高炉セメント、フライアッシュセメント、各種混合セメント等の水硬セメントが挙げられる。
セメントとしては、１種を単独で使用してもよく、２種以上を組み合わせて使用してもよい。
【００１８】
ケイ酸質粉体としては、例えば、けい石、けい藻土、マイクロシリカ、シリカヒューム等が挙げられる。なかでも、ケイ酸質粉体としては、けい石が好ましい。
ケイ酸質粉体としては、１種を単独で使用してもよく、２種以上を併用してもよい。
【００１９】
骨材としては、例えば、砂、フライアッシュバルーン、シラスバルーン、真珠岩バルーン、黒曜石バルーン、パーライト、バーミキュライト、カナマイト、ガラスマイクロバルーン等が挙げられる。
骨材としては、１種を単独で使用してもよく、２種以上を組み合わせて使用してもよい。
【００２０】
繊維としては、例えば、パルプ、故紙、ポリアミド繊維、ポリエステル繊維、ポリプロピレン繊維、ビニロン繊維等の有機繊維、ガラス繊維、炭素繊維等の無機繊維等が挙げられる。なかでも、繊維としては、パルプが好ましい。
繊維としては、１種を単独で使用してもよく、２種以上を組み合わせて使用してもよい。
【００２１】
材料Ａ中のセメントの含有量は、３０〜６５質量％が好ましく、３５〜５５質量％がより好ましい。
材料Ａ中のケイ酸質粉体の含有量は、２０〜４０質量％が好ましく、２５〜３７質量％がより好ましい。
材料Ａ中の骨材の含有量は、５〜３０質量％が好ましく、８〜２５質量％がより好ましい。
材料Ａ中の繊維の含有量は、２〜１０質量％が好ましく、２．５〜８質量％がより好ましい。
【００２２】
なお、巾木本体を形成する無機系材料は前記したものには限定されず、例えば、ステンレス鋼、アルミニウム等の金属を用いてもよい。
【００２３】
この例の巾木１では、軟質片３は接続部材４と一体に形成されており、接続部材４を介して巾木本体２の底壁部１０に取り付けられている。
接続部材４は、長尺の第１平板部２６と、長尺の第２平板部２８と、凸条３０と、凸条３２とを備えている。第２平板部２８は、第１平板部２６の一方の側端から垂直に立ち上がり、第１平板部２６の長さ方向に延在するように設けられている。凸条３０は、第１平板部２６における第２平板部２８が位置する側と反対側の側端から、第２平板部２８が存在する方向に突出するように、第１平板部２６の長さ方向に沿って形成されている。凸条３２は、第２平板部２８における第１平板部２６が位置する側と反対側の側端から、第１平板部２６が存在する方向に突出するように、第２平板部２８の長さ方向に沿って形成されている。軟質片３は、第１平板部２６における第２平板部２８が位置する側の側端から、第２平板部２８と反対側に突出するように設けられている。
【００２４】
接続部材４の凸条３０と凸条３２が底壁部１０に形成された凹条１８と凹条１６にそれぞれ嵌められ、接続部材４における第１平板部２６、第２平板部２８、凸条３０及び凸条３２の内側に底壁部１０の嵌合突起２０が嵌まり込むことで、接続部材４が底壁部１０に取り付けられる。
【００２５】
この例では、底壁部１０の嵌合突起２０と接続部材４を嵌合させて取り付けた状態において、接続部材４における第１平板部２６の外面が底壁部１０の底面１０ｃよりも上側に位置するようになっている。本発明では、巾木を床材と壁材で形成される隅部に設置したときに軟質片が床材にしっかりと密着する範囲内であれば、接続部材を介して軟質片を巾木本体に取り付ける態様において、このように接続部材が底壁部の底面よりも上側に入り込んだ状態にしてもよい。これにより、床材と壁材で形成される隅部に巾木を設置したときに巾木本体における底壁部の先端側が浮き上がりにくくなるため、巾木をより安定に設置できる。
【００２６】
接続部材を形成する材料としては、例えば、ポリ塩化ビニル樹脂、ポリプロピレン樹脂、ポリエチレン樹脂、ポリスチレン樹脂、ＡＢＳ樹脂、ＡＳＡ樹脂、ＰＥＴ樹脂等が挙げられる。
接続部材を形成する材料としては、１種を単独で使用してもよく、２種以上を組み合わせて使用してもよい。
【００２７】
軟質片３は、可撓性を有する長尺の板状部材である。接続部材４が底壁部１０に取り付けられている状態では、軟質片３は底壁部１０の底面１０ｃよりも下方に突き出るようになっている。床材と壁材で形成される隅部に巾木１を設置したときには、軟質片３は床面に追従するように変形しつつ押し付けられ、床面に密着するようになっている。これにより、軟質片３によって水や埃が堰き止められて、底壁部１０と床面との間に水や埃等が入り込むことが抑制される。
【００２８】
この例の軟質片３は、先端に向かうにつれて厚みが薄くなっている。本発明の巾木における軟質片は、このように先端に向かうにつれて厚みが薄くなっていることが好ましい。これにより、軟質片が床面に押し付けられたときに軟質片の先端部側が撓んで床面に追従しやすくなる。そのため、軟質片の反発力によって巾木本体の底壁部が床面から浮き上がることを抑制しつつ、軟質片を床面に充分に密着させ、底壁部１０と床面との間に水や埃等が入り込むことを抑制することが容易になる。
なお、本発明では、軟質片は先端に向かうにつれて厚みが薄くなる態様には限定されない。
【００２９】
また、この例では、軟質片３がその先端が側壁部１２から遠ざかるように湾曲し、軟質片３の先端が、底壁部１０の先端面１０ｂよりも幅方向の外側に位置するようになっている。本発明では、このように軟質片の先端が底壁部の先端面よりも幅方向の外側に位置するようになっていることが好ましい。これにより、軟質片の先端部分が底壁部の先端面よりも外側で床面に密着するため、底壁部の先端部と床面の間に水や埃等が入り込むことをよりしっかりと抑制することができる。
なお、本発明の巾木は、軟質片の先端が底壁部の先端面よりも幅方向の外側に位置する態様には限定されない。
【００３０】
この例の巾木１においては、接続部材４における第１平板部２６の外面と、軟質片３における側壁部１２側の表面とのなす角度θ（図２）は、巾木本体２の底壁部１０が浮き上がることを抑制しつつ、底壁部１０と床材との間に水や埃等が入り込むことを抑制しやすい点から、１００〜１６０°が好ましく、７０〜１２０°がより好ましい。
なお、この例のように軟質片が湾曲している場合、角度θは、接続部材における第１平板部の外面と、軟質片における側壁部側の表面における基端での接線方向とがなす角度を意味するものとする。
【００３１】
軟質片を形成する材料としては、特に限定されず、例えば、軟質ポリ塩化ビニル樹脂、熱可塑性エラストマー（オレフィン系熱可塑性エラストマー、スチレン系熱可塑性エラストマー、ポリエステル系熱可塑性エラストマー等）が好ましい。
軟質片を形成する材料としては、１種を単独で使用してもよく、２種以上を組み合わせて使用してもよい。
【００３２】
（取付方法及び作用機序）
巾木１の取付方法としては、特に限定されない。一例として、図３に示すような、床材１００と壁材１０２によって形成される隅部１０４に巾木１を取り付ける方法について説明する。壁材１０２は、壁面を形成するボード状の部材であり、柱材１０６の屋内側に取り付けられている。
【００３３】
この場合は、例えば、接続部材４を介して軟質片３を巾木本体２の底壁部１０に取り付けた状態で、巾木本体２における側壁部１２の外面１２ｂと、角部２２の傾斜面２５に接着剤２００を塗布する。そして、側壁部１２の外面１２ｂを壁材１０２側に向け、巾木本体２が隅部１０４に沿うように床材１００上に設置し、接着剤２００によって側壁部１２を壁材１０２に接着することで、巾木１を取り付ける。
巾木本体２の側壁部１２上においては、必要に応じてシーリング材によって側壁部１２と壁材１０２との隙間をシールしてもよい。この場合は、側壁部１２上に付与したシーリング材の上面を、壁材１０２から遠ざかるにつれて低くなるように傾斜させることが好ましい。これにより、シーリング材上に埃が溜まりにくくなり、また溜まった埃を取り除くことも容易になる。
【００３４】
この状態においては、軟質片３はその先端が巾木本体２における底壁部１０の先端面１０ｂよりも幅方向の外側に位置するように床材１００に押し付けられて密着する。これにより、軟質片３によって水や埃が堰き止められるため、巾木本体２における底壁部１０の先端側から、巾木本体２の底壁部１０と床材１００との間に水や埃等が入り込むことが抑制される。また、巾木本体２の底壁部１０と床材１００との間を通じて、側壁部１２と壁材１０２の間まで水や埃等が入り込むことも抑制される。そのため、優れた衛生性を確保することができる。
【００３５】
なお、本発明の巾木の取付方法は、軟質片が床材に密着して本発明の効果が得られる範囲であれば、前記したような接着剤を用いる方法には限定されない。例えば、ビス等で壁材に固定した金具等に巾木本体を取り付けることで、床材と壁材で形成される隅部に本発明の巾木を取り付けてもよい。
【００３６】
（製造方法）
本発明の巾木の製造方法は、特に限定されず、公知の方法を利用することができる。例えば、材料Ａを用いて巾木本体を形成する場合は、押出成形等を採用することができる。また、接続部材と軟質片が一体に形成された部材を製造する場合には、接続部材を形成する樹脂と、軟質片を形成する樹脂を用いた共押出成形等が挙げられる。
【００３７】
以上説明したように、本発明の巾木においては、床材と壁材で形成される隅部に設置したときに、巾木本体の底壁部に設けられた軟質片が床材に押し付けられて密着する。これにより、巾木本体における底壁部の先端側から底壁部と床材と間に水や埃等が入り込むことが抑制されるため、優れた衛生性を確保することができる。
本発明の巾木は、特に優れた衛生性が求められる食品工場や、クリーンルーム等において特に有用である。
【００３８】
なお、本発明の巾木は、前記した巾木１には限定されない。
例えば、本発明の巾木は、図４に例示した巾木５であってもよい。図４における図３と同じ部分は同符号を付して説明を省略する。
巾木５は、巾木本体２の代わりに巾木本体２Ａを備えている以外は、巾木１と同じである。巾木本体２Ａは、側壁部１２の代わりに側壁部１２Ａを備える以外は巾木本体２と同じである。側壁部１２Ａは、外面１２ｂにおける上端寄りに巾木本体２Ａの長さ方向に延びる帯状の凹条３４が形成されている以外は側壁部１２と同じ態様である。
【００３９】
巾木５では、床材１００と壁材１０２によって形成される隅部１０４に取り付ける際に凹条３４に接着剤２００を付与することで、巾木１に比べて壁材１０２への高い接着性が得られ、巾木５をより安定して設置することができる。
また、巾木５においても、巾木１と同様に、軟質片３によって水や埃等が堰き止められることで、巾木本体２Ａにおける底壁部１０の先端側から、巾木本体２と床材１００や壁材１０２との間に水や埃等が入り込むことが抑制されるため、優れた衛生性を確保できる。
【００４０】
本発明の巾木においては、本発明の効果が充分に得られる範囲であれば、巾木本体の底壁部における先端面よりも側壁部側に軟質片が設けられていてもよい。例えば、本発明の巾木は、図５に例示した巾木６であってもよい。図５における図２と同じ部分は同符号を付して説明を省略する。
巾木６は、巾木本体２の代わりに巾木本体２Ｂを備え、接続部材４の代わりに接続部材４Ａを備えている以外は、巾木１と同じである。巾木本体２Ｂは、底壁部１０の代わりに底壁部１０Ａを備える以外は、巾木本体２と同じである。底壁部１０Ａは、凹条１６が形成されておらず、嵌合突起２０を有しない以外は底壁部１０と同じである。
接続部材４Ａは、長尺の平板部２６Ａと、平板部２６Ａの一方の側端から垂直に立ち上がり、平板部２６Ａの長さ方向に沿って形成された凸条３０Ａとを備えている。軟質片３は、接続部材４Ａの平板部２６Ａにおける凸条３０Ａが位置する側と反対側の側端に、凸条３０Ａと反対側に突出するように設けられている。
【００４１】
巾木６においては、接続部材４Ａの凸条３０Ａが巾木本体２Ｂの底壁部１０Ａにおける凹条１８に嵌め込まれることで、接続部材４Ａを介して軟質片３が底壁部１０Ａに取り付けられる。このとき、平板部２６Ａにおける軟質片３が設けられた側の側端は、底壁部１０Ａにおける先端面１０ｂよりも側壁部１２側に位置するようになっている。これにより、軟質片３は、底壁部１０Ａにおける先端面１０ｂよりも側壁部１２側に位置している。
【００４２】
巾木６においても、巾木１と同様に、軟質片３によって水や埃等が堰き止められることで、巾木本体２Ｂにおける底壁部１０Ａの先端側から、巾木本体２Ｂと床材や壁材との間に水や埃等が入り込むことが抑制されるため、優れた衛生性を確保できる。巾木６においても、施工後には、軟質片３の先端が、底壁部１０の先端面１０ｂよりも幅方向の外側に位置するようになっていることが好ましい。
本発明では、このように巾木本体の底壁部における先端面よりも側壁部側に軟質片を設ける場合、軟質片は底壁部の先端面に近いほど好ましく、施工後に軟質片の先端が、底壁部の先端面よりも幅方向の外側に位置するようになっていることがより好ましい。
【００４３】
本発明の巾木は、図６に例示した巾木７であってもよい。図６における図２と同じ部分は同符号を付して説明を省略する。
巾木７は、巾木本体２の代わりに巾木本体２Ｃを備え、接続部材４Ｂを介して設けられた軟質片３Ａをさらに備える以外は、巾木１と同じである。
【００４４】
接続部材４Ｂは、長尺の平板部３６と、平板部３６の一方の側端から垂直に立ち上がり、平板部３６の長さ方向に沿って形成された凸条３８とを備えている。軟質片３Ａは、接続部材４Ｂの平板部３６における凸条３８が位置する側と反対側の側端に、凸条３８と反対側に突出するように設けられている。軟質片３Ａとしては、軟質片３と同じものが使用できる。
巾木本体２Ｃは、側壁部１２の代わりに側壁部１２Ｂを備える以外は、巾木本体２と同じである。側壁部１２Ｂは、外面１２ｂにおける上端部に、接続部材４Ｂの形状に相補的な形状の凹条４０が形成されている以外は、側壁部１２と同じである。凹条４０は、接続部材４Ｂが、凸条３８を下に向け、かつ凸条３８を側壁部１２に向けた状態で嵌まり込むように形成されている。
【００４５】
巾木７においても、巾木１と同様に、軟質片３によって水や埃等が堰き止められることで、巾木本体２Ｃにおける底壁部１０の先端側から、巾木本体２Ｃと床材や壁材との間に水や埃等が入り込むことが抑制される。さらに、巾木７では、巾木本体２Ｃにおける側壁部１２Ｂの上端部にも接続部材４Ｂを介して軟質片３Ａが設けられているため、側壁部１２Ｂの上方から側壁部１２Ｂと壁材との間に水や埃等が入り込むことも抑制できる。そのため、優れた衛生性を確保することができる。
【００４６】
本発明の巾木は、接続部材を介して軟質片を巾木本体に取り付ける態様には限定されない。例えば、接着剤等を用いて軟質片が底壁部に接着されることで、軟質片が巾木本体に直接取り付けられた態様としてもよい。また、軟質片が底壁部に溶融接合されることで、軟質片が巾木本体に直接取り付けられた態様としてもよい。該態様の巾木は、例えば、孔の開いた金型に巾木本体を通過させつつ、軟質片を形成するための樹脂を溶融状態で該金型内に供給して巾木本体に接合させ、巾木本体とともに押し出す押出インサート成形により得ることができる。
接続部材を介さずに軟質片を巾木本体に取り付ける態様は、止水の点でより有利である。また、接続部材を介して軟質片を巾木本体に取り付ける態様は、軟質片を施工現場で取り付けるようにすれば、搬送時等に巾木本体に押し潰されるなどして軟質片の形状にクセが付くことを抑制しやすい。そのため、施工後に軟質材が反り返ったりすることを抑制しやすくなる点でより有利である。
【符号の説明】
【００４７】
１、５〜７  巾木
２、２Ａ〜２Ｃ  巾木本体
３、３Ａ  軟質片
４、４Ａ、４Ｂ  接続部材
１０、１０Ａ  底壁部
１２、１２Ａ、１２Ｂ  側壁部
１４  隅部
１６、１８  凹条
２０  嵌合突起
２２  角部
２４  貫通孔
２５  傾斜面
２６  第１平板部
２８  第２平板部
３０、３２  凸条
【図１】
2017025471.tif 000003
【図２】
2017025471.tif 000004
【図３】
2017025471.tif 000005
【図４】
2017025471.tif 000006
【図５】
2017025471.tif 000007
【図６】
2017025471.tif 000008